(57)【要約】【課題】  遊技場側が遊技機に設定した設定情報を遊技者に提示することが可能な遊技機を提供する。【解決手段】  主制御基板３３は、ＣＰＵ３３ａやＲＯＭ３３ｂ、ＲＡＭ３３に加え、時刻を計測するＲＴＣ３３ｄと、大当たり」の発生率を遊技場側が設定するための確率設定部３３ｅと、「大当たり」の発生率の設定を遊技者に通知する時刻を遊技場側が設定するための時刻設定部３３ｆとを備える。ここで、ＲＴＣ３３ｄには、時刻設定部３３ｆを介して通知時刻が設定され、通知時刻が到来すると、割り込み信号をＣＰＵ３３ａに送信する。そして、ＣＰＵ３３ａは、割り込み信号を受信すると、確率設定部３３ｅの設定内容を確認し、これに応じた特別図柄１７ａの組み合わせを図柄制御基板４５に表示させる。【選択図】  図３
2005185737.tif 000002
【特許請求の範囲】
【請求項１】
遊技の態様を遊技者にとって有利にするか否かを決定する態様抽選を行う遊技機であって、
複数の異なる態様を遊技者に提示することが可能な提示手段と、
遊技場側で操作され、前記提示手段が提示する態様を選択する提示態様選択手段と、
該提示態様選択手段にて選択された態様を前記提示手段に提示させる制御手段と、
を備えることを特徴とする遊技機。
【請求項２】
前記制御手段は、前記提示態様選択手段にて選択された態様を予め定められた所定タイミングにて前記提示手段に提示させることを特徴とする請求項１記載の遊技機。
【請求項３】
遊技場側で操作され、前記所定タイミングを指定する所定タイミング指定手段を備えることを特徴とする請求項２記載の遊技機。
【請求項４】
前記態様抽選は、複数の異なる抽選確率で遊技者に抽選させることが可能なものであり、
当該遊技機は、遊技場側で操作され、前記態様抽選における前記抽選確率を選択する抽選確率選択手段を備え、
前記提示態様選択手段は、前記抽選確率選択手段であることを特徴とする請求項１乃至請求項３いずれか記載の遊技機。
【請求項５】
前記提示手段は、遊技に関わる各種画像を表示する画像表示装置であり、複数の異なる態様とは、複数の異なる画像であることを特徴とする請求項１乃至請求項４いずれか記載の遊技機。
【請求項６】
前記提示態様選択手段は、前記画像表示装置の表示を制御する図柄制御基板に設けられ、
前記制御手段は、前記図柄制御基板であることを特徴とする請求項５記載の遊技機。
【請求項７】
前記提示手段は、光を発する発光装置であり、複数の異なる態様とは、複数の異なる色彩、輝度もしくは発光パターン又はこれらの組合せであることを特徴とする請求項１乃至請求項４いずれか記載の遊技機。
【請求項８】
前記提示態様選択手段は、前記発光装置の発光を制御するランプ制御基板に設けられ、
前記制御手段は、前記ランプ制御基板であることを特徴とする請求項７記載の遊技機。
【請求項９】
前記提示手段は、音声を出力する音声出力装置であり、複数の異なる態様とは、複数の異なる音声であることを特徴とする請求項１乃至請求項４いずれか記載の遊技機。
【請求項１０】
前記提示態様選択手段は、前記音声出力装置の出力を制御する音声制御基板に設けられ、
前記制御手段は、前記音声制御基板であることを特徴とする請求項９記載の遊技機。
【発明の詳細な説明】
【技術分野】
【０００１】
本発明は、遊技の態様を遊技者にとって有利にするか否かを決定する態様抽選を備えた遊技機に関する。
【背景技術】
【０００２】
従来より、一般的に、パチンコ遊技機は、遊技者にとって有利な遊技を提供するか否かを遊技場側が設定できるように、遊技盤上における釘同士の間隔や釘の角度、大当たりの抽選確率などを調整可能に構成されている。
【０００３】
これにより、遊技場側は、パチンコ遊技機の難易度を適宜（例えば、日毎など）変更して、いずれのパチンコ遊技機が遊技者にとって有利に設定されているのかを遊技者に推測させたり、又、多くのパチンコ遊技機を遊技者に有利に設定して、多くの遊技者に大当たりを提供することにより、パチンコ遊技の趣向を向上させている。
【０００４】
尚、上述のように、このようなパチンコ遊技機の構成は一般的であり、公知・公用の技術に該当するため、ここでは特に先行技術文献を開示しない。
【発明の開示】
【発明が解決しようとする課題】
【０００５】
ところで、従来のパチンコ遊技機では、パチンコ遊技機が遊技者に有利に設定されているか否かを判断するには、釘同士の間隔や釘の角度を目測したり、パチンコ遊技機の上部に設置された呼出ランプや遊技場に設置された情報端末装置に表示される大当たりの発生回数などの遊技結果に基づくデータを参考にするしか方法がなかった。
【０００６】
そこで、本発明は、遊技場側が遊技機に設定した設定情報を遊技者に提示することが可能な遊技機を提供することを目的とする。
【課題を解決するための手段】
【０００７】
上記目的を達成するためになされた請求項１記載の発明は、遊技の態様を遊技者にとって有利にするか否かを決定する態様抽選を行う遊技機であって、複数の異なる態様を遊技者に提示することが可能な提示手段と、遊技場側で操作され、提示手段が提示する態様を選択する提示態様選択手段と、該提示態様選択手段にて選択された態様を提示手段に提示させる制御手段とを備えることを特徴とする。
【０００８】
この遊技機では、提示態様選択手段が遊技場側によって操作され、提示手段における提示の態様が選択されると、制御手段が、提示態様選択手段にて選択された態様を提示手段に提示させる。
【０００９】
つまり、この遊技機によれば、複数の異なる態様の中から遊技場側が選択した態様を遊技者に提示することができるため、遊技場側が遊技機に設定した設定情報を提示手段を利用して遊技者に提示することが可能となる。
【００１０】
又、この遊技機は、様々な方法で利用することができる。例えば、この遊技機がパチンコ遊技機の場合、遊技盤上の釘を入賞し易い間隔や、入賞しにくい間隔に設定するが、この釘間隔の設定に応じた設定情報を提示手段で提示させれば、遊技者は釘間隔に関する設定情報を把握することができる。又、例えば、この遊技機がスロット遊技機の場合、態様抽選の抽選確率が高い高設定にしたり、低い低設定にするが、この抽選確率の設定に応じた設定情報を提示手段で提示させれば、遊技者は抽選確率に関する設定情報を把握することができる。
【００１１】
尚、遊技場側が、遊技機に施した設定と提示手段で提示する設定情報との対応関係を遊技者に告知すれば、遊技者はその設定情報を確認するだけで遊技機の設定を容易に把握することができるようなものにすることができ、又、遊技場側が、遊技機に施した設定と提示手段で提示する設定情報との対応関係を遊技者に告知しないようにすれば、遊技者はその設定情報を確認して遊技場側の意図を思考することができれば、遊技機の設定を把握することができるようなものにすることもできる。
【００１２】
又、請求項２記載の発明である遊技機では、制御手段は、提示態様選択手段にて選択された態様を予め定められた所定タイミングにて提示手段に提示させることを特徴とする。
この遊技機では、選択された態様が所定タイミングで提示されるため、その一時的な所定タイミングにおける提示を逃さなかった遊技者のみを優遇できる。
【００１３】
尚、所定タイミングを遊技場の開店時にした場合は、遊技者が遊技機選びの参考にするその日の遊技結果に基づくデータが無い状態であるため、唯一の遊技機選びの情報として遊技者に提示することができ、非常に有用なものにすることができる。
【００１４】
又、請求項３記載の発明である遊技機では、遊技場側で操作され、所定タイミングを指定する所定タイミング指定手段を備えることを特徴とする。
この遊技機は、態様が提示される所定タイミングを遊技場側で指定することができるため、遊技場側が所望する時間の集客ツールとして利用することが可能となる。
【００１５】
つまり、例えば、遊技場の開店時やサービスタイム時に遊技客を集めたい場合、所定タイミングをその時間に合わせて指定しておけば、提示される態様を見たい遊技客を集めることができる。又、所定タイミングを開店時に合わせて指定した場合は、遊技者が遊技機選びの参考にするその日の遊技結果に基づくデータが無い状態であるため、唯一の遊技機選びの情報として遊技者に提示することができ、非常に有用なものにすることができる。
【００１６】
尚、所定タイミング指定手段は、複数のタイミングを指定できるものでも良い。このようにすれば、集客ツールとしての汎用性が極めて高いものとなる。又、所定タイミング指定手段で指定されるものとしては、時刻や遊技機が電源投入されてからの経過時間等であれば良い。
【００１７】
又、請求項４記載の発明である遊技機では、態様抽選は、複数の異なる抽選確率で遊技者に抽選させることが可能なものであり、当該遊技機は、遊技場側で操作され、態様抽選における抽選確率を選択する抽選確率選択手段を備え、提示態様選択手段は、抽選確率選択手段であることを特徴とする。
【００１８】
この遊技機は、提示手段が提示する態様と、選択された抽選確率とが対応付けられているため、提示手段が提示する態様から遊技機に設定した抽選確率を明確に把握することができ、遊技場側が遊技者を欺くように提示手段を利用することを防止することができ、遊技者は態様を確認するだけで遊技機の設定を容易に把握することができるようなものにすることができる。
【００１９】
又、請求項５記載の発明である遊技機では、提示手段は、遊技に関わる各種画像を表示する画像表示装置であり、複数の異なる態様とは、複数の異なる画像であることを特徴とする。
【００２０】
この遊技機は、複数の異なる画像の中から遊技場側が選択した画像を遊技者に表示することができるため、遊技場側が遊技機に設定した設定情報を画像表示装置を利用して遊技者に表示することが可能となる。また、遊技者は画像表示装置の表示に集中して遊技を行っているため、表示する画像を遊技者が見逃しにくいものにすることができる。
【００２１】
尚、画像とは、図柄又は図柄の背景等の画像を指し、異なるとは、視認される画像が相違することを指し、例えば、画像の種類、図柄の組み合わせ又は色彩が違うものを指す。
又、請求項６記載の発明である遊技機では、提示態様選択手段は、画像表示装置の表示を制御する図柄制御基板に設けられ、制御手段は、図柄制御基板であることを特徴とする。
【００２２】
この遊技機は、図柄制御基板にある提示態様選択手段を操作し、図柄制御基板が選択された画像を画像表示装置に表示するため、図柄制御基板内だけで配線処理を完了することができ、また、遊技場側が選択した画像の表示においても他の基板と連携することなく、単独で処理を行うことができる。また、風俗営業等の規制及び業務の適正化等に関する法律（以下、単に「風営法」という。）で容量が規制されている主制御基板のプログラムを増加させることなく、このような機能を設けることができる。
【００２３】
又、請求項７記載の発明である遊技機では、提示手段は、光を発する発光装置であり、複数の異なる態様とは、複数の異なる色彩、輝度もしくは発光パターン又はこれらの組合せであることを特徴とする。
【００２４】
この遊技機は、複数の異なる色彩、輝度もしくは発光パターン又はこれらの組合せの中から遊技場側が選択した色彩、輝度もしくは発光パターン又はこれらの組合せを遊技者に発することができるため、遊技場側が遊技機に設定した設定情報を発光装置を利用して遊技者に発することが可能となる。
【００２５】
又、請求項８記載の発明である遊技機では、提示態様選択手段は、発光装置の発光を制御するランプ制御基板に設けられ、制御手段は、ランプ制御基板であることを特徴とする。
【００２６】
この遊技機は、ランプ制御基板にある提示態様選択手段を操作し、ランプ制御基板が選択された色彩、輝度もしくは発光パターン又はこれらの組合せを発光装置で発光するため、ランプ制御基板内だけで配線を完了することができ、また、遊技場側が選択した色彩、輝度もしくは発光パターン又はこれらの組合せの発光においても他の基板と連携することなく、単独で処理を行うことができる。また、「風営法」で容量が規制されている主制御基板のプログラムを増加させることなく、このような機能を設けることができる。
【００２７】
又、請求項９記載の発明である遊技機では、提示手段は、音声を出力する音声出力装置であり、複数の異なる態様とは、複数の異なる音声であることを特徴とする。
この遊技機は、複数の異なる音声の中から遊技場側が選択した音声を遊技者に出力することができるため、遊技場側が遊技機に設定した設定情報を音声出力装置を利用して遊技者に出力することが可能となる。
【００２８】
尚、音声とは、声や効果音、音楽などを指す。
又、請求項１０記載の発明である遊技機では、提示態様選択手段は、音声出力装置の出力を制御する音声制御基板に設けられ、制御手段は、音声制御基板であることを特徴とする。
【００２９】
この遊技機は、音声制御基板にある提示態様選択手段を操作し、音声制御基板が選択された音声を音声出力装置で出力するため、音声制御基板内だけで配線を完了することができ、また、遊技場側が選択した音声の出力においても他の基板と連携することなく、単独で処理を行うことができる。また、「風営法」で容量が規制されている主制御基板のプログラムを増加させることなく、このような機能を設けることができる。
【発明を実施するための最良の形態】
【００３０】
以下に本発明の実施形態を図面と共に説明する。
［第１実施形態］
まず、図１は、本実施形態のパチンコ遊技機（以下、単に「パチンコ機」ともいう。）１の外観を示す平面図である。尚、パチンコ機１は、本発明に係る部分を除いて、周知の第１種パチンコ遊技機（例えば、特開２００１−３０００６５号公報を参照。）と同様に構成されている。従って、ここでは、本発明に係る部分についてのみ詳述し、その他の部分については略述する。
【００３１】
図１に示すように、パチンコ機１は、当該パチンコ機１の筐体である外枠３と、この外枠３に開閉自在に取り付けられた内枠５とを備える。
そして、内枠５には、遊技を演出するために、遊技に連係して点灯させる３つの内枠ランプ７と、遊技者に遊技を提供する遊技盤９と、遊技者が遊技盤９上への遊技球の発射操作を行うためのハンドル１１と、遊技盤９における遊技の結果として当該パチンコ機１から賞品として払い出される遊技球（賞球）を貯留する上受け皿１３と、上受け皿１３が遊技球を貯留しきれなくなるなどして、上受け皿１３から排出される遊技球を受ける下受け皿１５とが設けられている。
【００３２】
尚、遊技盤９上には、ＬＣＤ（Liquid  Crystal  Display）からなり、１〜９の数字を要素とした３つの特別図柄１７ａや特別図柄１７ａの周囲の画像である背景画像１７ｂなどの遊技に関わる各種画像を表示するディスプレイ１７と、特別図柄１７ａの変動表示が保留されていることを遊技者に示す４つの特別図柄保留ランプ１９と、特別図柄１７ａの変動表示を開始させるために遊技者が遊技球を投入する始動入賞装置２１と、大当たり遊技の際に、遊技者が遊技球を投入する可動入賞装置２３とが配設されている。尚、始動入賞装置２１は、所謂、チューリップ式からなり、図中左右方向に開閉動作する１対の可動片２１ａを備える。又、可動入賞装置２３は、図中手前方向に傾倒動作して当該可動入賞装置２３の入賞口を開放する開閉板２３ａを備える。
【００３３】
更に、遊技盤９上には、７セグメントＬＥＤ表示器からなり、１桁の数字（本実施形態では０〜９）からなる普通図柄（図示しない）を変動表示する普通図柄表示装置２５と、普通図柄の変動表示が保留されていることを遊技者に示す４つの普通図柄保留ランプ２７と、遊技を演出するために、遊技に連係して点灯させる１対の遊技盤ランプ２９と、遊技球の通過を検出する１対の始動ゲート３１とが配設されている。
【００３４】
次に、パチンコ機１における制御系統について説明する。
ここで、図２は、パチンコ機１における制御系統の一部を示す構成ブロック図である。
図２に示すように、パチンコ機１には、当該パチンコ機１における遊技を統括する主制御基板３３が具備され、この主制御基板３３に当該パチンコ機１の各部を制御する各種制御基板や、各種装置を接続して当該パチンコ機１の制御系統が構築されている。
【００３５】
即ち、主制御基板３３には、まず、遊技球が始動ゲート３１を通過したことを検出するゲートセンサ３１ａと、始動入賞装置２１の始動口に遊技球が投入されたことを検出する始動口センサ２１ｂと、始動入賞装置２１の可動片２１ａを駆動するソレノイド２１ｃとが接続されている。
【００３６】
又、主制御基板３３には、可動入賞装置２３の入賞口における特定領域に遊技球が投入されたことを検出する特定領域センサ２３ｂと、可動入賞装置２３の入賞口における特定領域とは別の一般領域に遊技球が投入されたことを検出するカウントセンサ２３ｃと、可動入賞装置２３の開閉板２３ａを駆動するソレノイド２３ｄとが接続されている。
【００３７】
又、主制御基板３３には、上受け皿１３への賞球の払出を行う払出装置３５を制御する賞球制御基板３７と、パチンコ機１に設置されたスピーカ３９を介して声や効果音、音楽などを出力する音声制御基板４１と、内枠ランプ７や遊技盤ランプ２９、普通図柄保留ランプ２７、特別図柄保留ランプ１９を点灯させるランプ制御基板４３とが接続されている。
【００３８】
更に、主制御基板３３には、ディスプレイ１７に特別図柄１７ａや背景画像１７ｂなどの遊技に関わる各種画像を表示したり、普通図柄表示装置２５に普通図柄を表示する図柄制御基板４５が接続されている。
【００３９】
このように構成されたパチンコ機１の制御系統では、主制御基板３３が、上述の各種制御基板や各種装置にコマンドを送信し、これら各種制御基板や各種装置が、このコマンドに従って動作する。
【００４０】
ここで、図３は、主制御基板３３の構成の一部を示す構成ブロック図である。
図３に示すように、主制御基板３３は、当該主制御基板３３が実行すべき各種処理を実行するＣＰＵ３３ａと、ＣＰＵ３３ａが実行する各種処理のプログラムや各種処理に用いるデータを記憶するＲＯＭ３３ｂと、ＣＰＵ３３ａが各種処理を実行する際にデータを一時格納するＲＡＭ３３ｃと、時刻を計測するリアルタイムクロック（ＲＴＣ）３３ｄとを備える。尚、ＲＴＣ３３ｄは、充電可能なバッテリを内蔵し、このバッテリを主制御基板３３に供給される電力で充電することにより、パチンコ機１の電源がＯＦＦされても時刻の計測を継続できるように構成されている。又、ＲＴＣ３３ｄは、ＣＰＵ３３ａに対して割り込み信号を送信する時刻を設定する複数（本実施形態では９つ）の設定レジスタを備え、計測している時刻と設定レジスタに設定された時刻とを常に比較し、これらが一致した際には、割り込み信号をＣＰＵ３３ａに送信するように設定されている。
【００４１】
更に、主制御基板３３は、遊技の態様を遊技者にとって有利にするか否かを決定する態様抽選における「大当たり」の抽選確率を遊技場側が設定するための確率設定部３３ｅと、「大当たり」の抽選確率の設定を遊技者に通知する時刻（以下、「通知時刻」という。）を遊技場側が設定するための時刻設定部３３ｆとを備える。
【００４２】
尚、確率設定部３３ｅには、「大当たり」の抽選確率を３段階に設定できるように、「大当たり」の抽選確率を通常よりも高い「高設定」に設定するための押しボタンからなる高設定ボタン３３１と、「大当たり」の抽選確率を通常どおりの「中設定」に設定するための押しボタンからなる中設定ボタン３３３と、「大当たり」の抽選確率を通常よりも低い「低設定」に設定するための押しボタンからなる低設定ボタン３３５とが具備されている。
【００４３】
又、時刻設定部３３ｆには、通知時刻に対応づける番号（以下、「指定番号」という。）を指定するための押しボタンからなる番号指定ボタン３３７と、通知時刻を指定するための押しボタンからなる時刻指定ボタン３３９と、番号指定ボタン３３７及び時刻指定ボタン３３９による指定内容を確定するための押しボタンからなる確定ボタン３４１と、７セグメントＬＥＤ表示器からなり、指定番号を表示する番号表示部３４３、７セグメントＬＥＤ表示器からなり、通知時刻を表示する時刻表示部３４５とが具備されている。
【００４４】
以下、主制御基板３３のＣＰＵ３３ａが実行する各種処理について詳述する。
まず、ＣＰＵ３３ａは、番号指定ボタン３３７が押下されると、当該ＣＰＵ３３ａに供給されるクロック信号に基づいて、押下時間を計測し、押下時間が一定時間（例えば、２秒間）に達すると、予め設定された通知時刻設定処理を起動する。
【００４５】
尚、この通知時刻設定処理では、ＣＰＵ３３ａは、まず、番号表示部３４３に指定番号「１」を点滅表示させると共に、この指定番号に対応づけられたＲＴＣ３３ｄの設定レジスタに設定された時刻を読み出し、読み出した時刻を通知時刻として時刻表示部３４５に点滅表示する。そして、番号指定ボタン３３７が押下される度に、番号表示部３４３に点滅表示している指定番号をカウントアップすると共に、各指定番号に対応づけられた設定レジスタに設定された時刻を順次読み出し、通知時刻として時刻表示部３４５に点滅表示する。
【００４６】
又、ＣＰＵ３３ａは、時刻指定ボタン３３９が押下される度に、時刻表示部３４５に点滅表示している時刻を一定時間毎（本実施形態では、３０分毎）にカウントアップし、確定ボタン３４１が押下された際に、点滅表示していた通知時刻及び指定番号を一定時間だけ点灯表示したのち、この表示を消去する。又、この際、ＣＰＵ３３ａは、通知時刻を指定番号に対応する設定レジスタに設定する。尚、本実施形態では、通知時刻として、遊技場のサービスタイム（例えば、１４：００、１８：００など）を設定する。
【００４７】
次に、ＣＰＵ３３ａは、パチンコ機１の電源投入時に予め設定された起動処理を実行する。ここで、図４は、ＣＰＵ３３ａが実行する起動処理の流れを示すフローチャートである。
【００４８】
図４に示すように、本処理が起動されると、ＣＰＵ３３ａは、まず、主制御基板３３の初期設定を行う（Ｓ１０）。尚、ＣＰＵ３３ａは、この初期設定にて、周知のように、当該ＣＰＵ３３ａ内部のレジスタを初期化すると共に、ＲＡＭ３３ｃの初期化もしくは前回の電源ＯＦＦ時における遊技状態への復帰処理を実行する。
【００４９】
そして、後述の設定表示処理を実行したのち（Ｓ２０）、これ以降、パチンコ機１の電源がＯＦＦされるまで、遊技の態様を遊技者にとって有利にするか否かを決定する態様抽選を行う遊技処理を繰り返し実行する（Ｓ３０）。ここで、この遊技処理では、ＣＰＵ３３ａは、周知のように、一定時間毎（本実施形態では、０．２ｍｓ毎）に乱数の値を更新すると共に、始動口センサ２１ｂから遊技球の検出信号を受信する毎に、この乱数を取得し、取得した乱数が「大当たり」に該当するか否かを判定する。そして、ディスプレイ１７に表示している特別図柄１７ａの組み合わせが、この判定結果に応じた組み合わせになるように図柄制御基板４５に特別図柄１７ａを変動表示させると共に、「大当たり」に該当する場合には、可動入賞装置２３の入賞口の開放及び閉鎖を一定回数繰り返す大当たり遊技を実行する。
【００５０】
尚、本実施形態の主制御基板３３のＲＯＭ３３ｂには、各乱数に対して、「大当たり」もしくは「はずれ」を対応づけた判定テーブルが３種類設定されており、ＣＰＵ３３ａは、確率設定部３３ｅの設定内容に応じた判定テーブルを用いて「大当たり」もしくは「はずれ」を抽選する。より具体的には、これら判定テーブルでは、「大当たり」に該当する乱数の配分が互いに異ならされており、ＣＰＵ３３ａは、高設定ボタン３３１が押下されている場合には、「大当たり」の配分が１番大きい判定テーブルを用いて遊技処理を行う。又、中設定ボタン３３３が押下されている場合には、「大当たり」の配分が２番目に大きい判定テーブルを用いて遊技処理を行い、低設定ボタン３３５が押下されている場合には、「大当たり」の配分が１番小さい判定テーブルを用いて、遊技処理を行う。
【００５１】
ここで、図５は、上述の設定表示処理の流れを示すフローチャートである。尚、本処理は、上述の起動処理のＳ２０の他、ＣＰＵ３３ａがＲＴＣ３３ｄから割り込み信号を受信する度に起動される。
【００５２】
本処理が起動されると、ＣＰＵ３３ａは、まず、確率設定部３３ｅの設定内容を確認する（Ｓ１００）。そして、この設定内容に応じた特別図柄１７ａの組み合わせを示す指定コマンドを図柄制御基板４５に送信し（Ｓ１１０）、本処理を終了する。これにより図柄制御基板４５のＣＰＵは、指定コマンドが示す特別図柄１７ａの組み合わせをディスプレイ１７に停止表示する。但し、図柄制御基板４５のＣＰＵは、パチンコ機１の電源投入時には、特別図柄１７ａを確率設定部３３ｅの設定内容に応じた組み合わせにてディスプレイ１７の中央に停止表示する（図６（ａ）参照。）。そして、遊技が開始されたのちに、変動指定コマンドを受信すると、抽選結果を示す特別図柄１７ａとは別個に、確率設定部３３ｅの設定内容に応じた組み合わせの特別図柄１７ａをディスプレイ１７の右下部に一定時間（例えば、３秒間）だけ表示する（図６（ｂ）参照）。
【００５３】
ところで、本実施形態では、図柄制御基板４５のＣＰＵは、高設定ボタン３３１の押下に対応した指定コマンドを受信すると、「７１７」という特別図柄１７ａの組み合わせをディスプレイ１７に停止表示する（図７（ａ）参照。）。又、中設定ボタン３３３の押下に対応した指定コマンドを受信すると、「７２７」という特別図柄１７ａの組み合わせをディスプレイ１７に停止表示し（図７（ｂ）参照。）、低設定ボタン３３５の押下に対応した指定コマンドを受信すると、「７３７」という特別図柄１７ａの組み合わせをディスプレイ１７に停止表示する（図７（ｃ）参照。）。
【００５４】
以上のように構成された本実施形態のパチンコ機１では、当該パチンコ機１の電源投入時や時刻設定部３３ｆにて設定した遊技場のサービスタイムにて、主制御基板３３のＣＰＵ３３ａが当該パチンコ機１に設定された「大当たり」の抽選確率の設定を確認し、この設定に応じた組み合わせの特別図柄１７ａを示す指定コマンドを図柄制御基板４５に送信する。そして、図柄制御基板４５のＣＰＵが、受信した指定コマンドが示す特別図柄１７ａの組み合わせをディスプレイ１７に一定時間停止表示する。
【００５５】
つまり、本実施形態のパチンコ機１によれば、ディスプレイ１７に表示される特別図柄１７ａの組み合わせ（「７１７」、「７２７」、「７３７」）と、態様抽選における「大当たり」の抽選確率の設定（「高設定」、「中設定」、「低設定」）とが対応づけられているため、遊技者はディスプレイ１７が表示する特別図柄１７ａの組み合わせから遊技場側がパチンコ機１に設定した抽選確率を明確に把握することができ、遊技場側が遊技者を欺くように利用することを防止することができる。
【００５６】
又、「大当たり」の抽選確率と特別図柄１７ａの組み合わせ（「７１７」、「７２７」、「７３７」）との対応を予め遊技者に告知すれば、遊技者は、パチンコ機１の電源投入時の初期や通知時刻にディスプレイ１７に表示される特別図柄１７ａの組み合わせを確認するだけでパチンコ機１における「大当たり」の抽選確率の設定を容易に判別することができ、又、「大当たり」の抽選確率と特別図柄１７ａの組み合わせとの対応関係を予め遊技者に告知しておかなくても、ディスプレイ１７に表示される特別図柄１７ａの組み合わせと、パチンコ機１の上部に設置された呼出ランプや遊技場に設置された情報端末装置に表示される「大当たり」の発生回数などのデータとを合わせて思考すれば、比較的容易に「大当たり」の抽選確率の設定を判別することができる。
【００５７】
又、本実施形態のパチンコ機１では、当該パチンコ機１の電源投入後の初期や通知時刻である所定タイミングにしか「大当たり」の抽選確率の設定に対応づけられた特別図柄１７ａの組み合わせが表示されないため、これらのタイミングにディスプレイ１７の表示を確認した遊技者のみを優遇できる。
【００５８】
又、本実施形態のパチンコ機１によれば、「大当たり」の抽選確率の設定に対応づけられた特別図柄１７ａの組み合わせを表示する所定タイミングを遊技場側で指定することができるため、遊技場側が所望する時間の集客ツールとして利用することができる。尚、遊技場側では、所定タイミングを予め遊技者に告知しておけば、集客ツールとして、本実施形態のパチンコ機１をより一層有効に利用できる。
【００５９】
ところで、本実施形態では、主制御基板３３は、ＣＰＵ３３ａ、ＲＯＭ３３ｂ、ＲＡＭ３３ｃ、ＲＴＣ３３ｄを別個で備えていたが、これらに代えて、これらを１チップに集積してなるマイクロプロセッサ（ＭＰＵ）を用いても良い。
【００６０】
又、本実施形態では、確率設定部３３ｅを主制御基板３３に設けたが、賞球制御基板３７、図柄制御基板４５、音声制御基板４１、ランプ制御基板４３のいずれかのサブ制御基板に設けられていても良く、この場合、確率設定部３３ｅが設けられるサブ制御基板から主制御基板３３に確率設定部３３ｅの設定を送信できるようにサブ制御基板を構成しておけば、本実施形態と同様のことを実行できる。
【００６１】
尚、本実施形態では、ディスプレイ１７が本発明の提示手段及び画像表示装置に相当し、主制御基板３３の確率設定部３３ｅが本発明の提示態様選択手段及び抽選確率選択手段に相当する。
【００６２】
又、本実施形態では、主制御基板３３（より具体的には、主制御基板３３のＣＰＵ３３ａが実行する設定表示処理のＳ１００，Ｓ１１０と、図柄制御基板４５と、ＲＴＣ３３ｄ）が本発明の制御手段に相当し、主制御基板３３の時刻設定部３３ｆが本発明の所定タイミング指定手段に相当する。
【００６３】
又、本実施形態では、特別図柄１７ａの組み合わせが請求項５記載における「複数の異なる画像」に相当する。
［第２実施形態］
次に、第２実施形態について説明する。但し、本実施形態のパチンコ機は、第１実施形態のパチンコ機１における主制御基板３３及び図柄制御基板４５の構成を第１実施形態と異ならせただけで、その他の部分については、第１実施形態と全く同様である。そこで、第１実施形態と同一の構成要素については、同一の符号を付してその説明を省略し、異なる部分についてのみ説明する。
【００６４】
まず、本実施形態の主制御基板３３は、第１実施形態の主制御基板３３からＲＴＣ３３ｄ、確率設定部３３ｅ及び時刻設定部３３ｆを削除して構成されている（図示せず。）。
そして、本実施形態の図柄制御基板４５は、以下のように構成されている。
【００６５】
ここで、図８は、図柄制御基板４５の構成の一部を示す構成ブロック図である。
図８に示すように、図柄制御基板４５は、当該図柄制御基板４５が実行すべき各種処理を実行するＣＰＵ４５ａと、ＣＰＵ４５ａが実行する各種処理のプログラムや各種処理に用いるデータを記憶するＲＯＭ４５ｂと、ＣＰＵ４５ａが各種処理を実行する際にデータを一時格納するＲＡＭ４５ｃと、時刻を計測するＲＴＣ４５ｄとを備える。尚、ＲＴＣ４５ｄは、充電可能なバッテリを内蔵し、このバッテリを図柄制御基板４５に供給される電力で充電することにより、パチンコ機１の電源がＯＦＦされても時刻の計測を継続できるように構成されている。又、ＲＴＣ４５ｄは、ＣＰＵ４５ａに対して割り込み信号を送信する時刻を設定する複数（本実施形態では９つ）の設定レジスタを備え、計測している時刻と設定レジスタに設定された時刻とを常に比較し、これらが一致した際には、割り込み信号をＣＰＵ４５ａに送信するように設定されている。
【００６６】
更に、図柄制御基板４５は、当該パチンコ機１の設定情報を通知するための特別図柄１７ａの組み合わせを遊技場側が設定するための画像設定部４５ｅと、設定情報の通知時刻を遊技場側が設定するための時刻設定部４５ｆとを備える。
【００６７】
尚、画像設定部４５ｅには、特別図柄１７ａの組み合わせをデフォルト（本実施形態では、「１２３」）に設定するための押しボタンからなるデフォルトボタン４５１と、特別図柄１７ａの組み合わせを変更するための押しボタンからなる変更ボタン４５３と、特別図柄１７ａの組み合わせを確定するための押しボタンからなる確定ボタン４５５と、７セグメントＬＥＤ表示器からなり、特別図柄１７ａの組み合わせを表示する図柄表示部４５７とが具備されている。
【００６８】
又、時刻設定部４５ｆには、第１実施形態の主制御基板３３における時刻設定部３３ｆと同様に、通知時刻に対応づける指定番号を指定するための押しボタンからなる番号指定ボタン４５９と、通知時刻を指定するための押しボタンからなる時刻指定ボタン４６１と、番号指定ボタン４５９及び時刻指定ボタン４６１による指定内容を確定するための押しボタンからなる確定ボタン４６３と、７セグメントＬＥＤ表示器からなり、指定番号を表示する番号表示部４６５、７セグメントＬＥＤ表示器からなり、通知時刻を表示する時刻表示部４６７とが具備されている。
【００６９】
ここで、図柄制御基板４５のＣＰＵ４５ａは、第１実施形態における主制御基板３３のＣＰＵ３３ａと同様に、番号指定ボタン４５９が押下されると、当該ＣＰＵ４５ａに供給されるクロック信号に基づいて、押下時間を計測し、押下時間が一定時間（例えば、２秒間）に達すると、予め設定された通知時刻設定処理を起動する。尚、この通知時刻設定処理については、第１実施形態における主制御基板３３のＣＰＵ３３ａが実行する通知時刻設定処理と全く同様であるため、ここでは説明を省略する。
【００７０】
又、ＣＰＵ４５ａは、画像設定部４５ｅのデフォルトボタン４５１もしくは変更ボタン４５３を押下されると、予め設定された画像設定処理を実行する。
尚、この画像設定処理では、ＣＰＵ４５ａは、デフォルトボタン４５１が押下された場合には、デフォルトに指定されていた特別図柄１７ａの組み合わせを図柄表示器４５７に点滅表示する。一方、変更ボタン４５３が押下された場合には、変更ボタン４５３が押下される度に図柄表示器４５７に点滅表示した特別図柄１７ａの要素である数字をカウントアップする。ここで、確定ボタン４５５が押下されると、図柄表示器４５７に点滅表示していた特別図柄１７ａの要素である数字を点灯表示に切り替える。
【００７１】
そして、ＣＰＵ４５ａは、時刻設定部４５ｆに設定された通知時刻にＲＴＣ４５ｄから割り込み信号を受信すると、図柄表示器４５７に点灯表示している特別図柄１７ａの組み合わせを読み込み、ディスプレイ１７に表示する（第１実施形態と同様。）。
【００７２】
以上のように構成された本実施形態のパチンコ機１では、第１実施形態のパチンコ機１と同様に、電源投入後の初期及び通知時刻に、図柄制御基板４５の画像設定部４５ｅに設定された特別図柄１７ａの組み合わせをディスプレイ１７に表示する。
【００７３】
以上から、本実施形態のパチンコ機１によれば、特別図柄１７ａの任意の組み合わせの中から遊技場側が図柄制御基板４５の画像設定部４５ｅに設定した特別図柄１７ａの組み合わせを表示できるため、遊技盤上における釘同士の間隔や釘の角度などといった遊技場側がパチンコ機１に設定した設定情報をディスプレイ１７を利用して表示することができる。
【００７４】
又、本実施形態のパチンコ機１では、遊技場側が設定した内容と特別図柄１７ａの組み合わせとの対応関係を予め遊技者に告知すれば、遊技者は、当該パチンコ機１の電源投入後の初期や通知時刻にディスプレイ１７に表示される特別図柄１７ａの組み合わせを確認するだけで当該パチンコ機１における設定を容易に判別することができ、又、告知しておかなくても、ディスプレイ１７に表示される特別図柄１７ａの組み合わせと、当該パチンコ機１の上部に設置された呼出ランプや遊技場に設置された情報端末装置に表示される大当たりの発生回数などのデータとを合わせて思考すれば、比較的容易にパチンコ機１の設定を判別することができる。
【００７５】
又、本実施形態のパチンコ機１では、画像設定部４５ｅと時刻設定部４５ｆとを図柄制御基板４５に設けたため、図柄制御基板４５上で配線を完了することができ、又、図柄制御基板４５に時計機能を備えて通知時刻だけの表示にすれば、遊技場側が指定した特別図柄１７ａの組み合わせの表示においても主制御基板３３と連携することなく、単独で処理を行うことができる。これにより、第１実施形態のパチンコ機１では設けなければならなかった主制御基板３３から図柄制御基板４５へ送信する前述の指定コマンドをなくすことができ、「風営法」で規制されている主制御基板３３のプログラムの容量を増加させることなく、このような機能を設けることができる。
【００７６】
又、本実施形態のパチンコ機１によれば、遊技場側は所望する任意の特別図柄１７ａの組み合わせを表示することができるため、遊技場側が何らかの意味を含ませた特別図柄１７ａの組み合わせを表示することができ、その組み合わせに含まれる意味を遊技者に思考させるような演出を行うことが可能となる。例えば、釘同士の間隔を大きく設定したパチンコ機１には、特別図柄１７ａの組み合わせとして「０１４」を表示させる。遊技場側がこの組み合わせに含めた意味は、「おいしー」、つまり、甘釘台という意味である。
【００７７】
ところで、本実施形態では、特別図柄１７ａの組み合わせを任意に設定できるように図柄制御基板４５が構成されていたが、複数の異なる組み合わせ（例えば、５つ）を設定できるように構成されていても良い。
【００７８】
尚、本実施形態では、ディスプレイ１７が本発明の提示手段及び画像表示装置に相当し、図柄制御基板４５の画像設定部４５ｅが本発明の提示態様選択手段に相当する。
又、本実施形態では、図柄制御基板４５（より具体的には、図柄制御基板４５のＣＰＵ４５ａ及びＲＴＣ４５ｄ）が本発明の制御手段に相当し、図柄制御基板４５の時刻設定部４５ｆが本発明の所定タイミング指定手段に相当する。
【００７９】
又、本実施形態では、特別図柄１７ａの組み合わせが、請求項５記載における「複数の異なる画像」に相当する。
［第３実施形態］
続いて、第３実施形態について説明する。但し、本実施形態のパチンコ機は、第１実施形態のパチンコ機１における主制御基板３３及びランプ制御基板４３の構成を第１実施形態と異ならせただけで、その他の部分については、第１実施形態と全く同様である。そこで、第１実施形態と同一の構成要素については、同一の符号を付してその説明を省略し、異なる部分についてのみ説明する。
【００８０】
まず、本実施形態の主制御基板３３は、第１実施形態の主制御基板３３からＲＴＣ３３ｄ、確率設定部３３ｅ及び時刻設定部３３ｆを削除して構成されている（図示せず。）。
そして、本実施形態のランプ制御基板４３は、以下のように構成されている。
【００８１】
ここで、図９は、ランプ制御基板４３の構成の一部を示す構成ブロック図である。
図９に示すように、ランプ制御基板４３は、当該ランプ制御基板４３が実行すべき各種処理を実行するＣＰＵ４３ａと、ＣＰＵ４３ａが実行する各種処理のプログラムや各種処理に用いるデータを記憶するＲＯＭ４３ｂと、ＣＰＵ４３ａが各種処理を実行する際にデータを一時格納するＲＡＭ４３ｃと、時刻を計測するＲＴＣ４３ｄとを備える。尚、ＲＴＣ４３ｄは、充電可能なバッテリを内蔵し、このバッテリをランプ制御基板４３に供給される電力で充電することにより、パチンコ機１の電源がＯＦＦされても時刻の計測を継続できるように構成されている。又、ＲＴＣ４３ｄは、ＣＰＵ４３ａに対して割り込み信号を送信する時刻を設定する複数（本実施形態では９つ）の設定レジスタを備え、計測している時刻と設定レジスタに設定された時刻とを常に比較し、これらが一致した際には、割り込み信号をＣＰＵ４３ａに送信するように設定されている。
【００８２】
更に、ランプ制御基板４３は、当該パチンコ機１の設定情報を通知するための内枠ランプ７の点灯色を遊技場側が設定するための色設定部４３ｅと、設定情報の通知時刻を遊技場側が設定するための時刻設定部４３ｆとを備える。
【００８３】
尚、色設定部４３ｅには、内枠ランプ７の点灯色を赤色に設定するための押しボタンからなる赤色ボタン４３１と、内枠ランプ７の点灯色を青色に設定するための押しボタンからなる青色ボタン４３３と、内枠ランプ７の点灯色を緑色に設定するための押しボタンからなる緑色ボタン４３５と、内枠ランプ７の点灯色を白色に設定するための押しボタンからなる白色ボタン４３７とが具備されている。
【００８４】
又、時刻設定部４３ｆには、第１実施形態の主制御基板３３における時刻設定部３３ｆと同様に、通知時刻に対応づける指定番号を指定するための押しボタンからなる番号指定ボタン４３９と、通知時刻を指定するための押しボタンからなる時刻指定ボタン４４１と、番号指定ボタン４３９及び時刻指定ボタン４４１による指定内容を確定するための押しボタンからなる確定ボタン４４３と、７セグメントＬＥＤ表示器からなり、指定番号を表示する番号表示部４４５、７セグメントＬＥＤ表示器からなり、通知時刻を表示する時刻表示部４４７とが具備されている。
【００８５】
ここで、ランプ制御基板４３のＣＰＵ４３ａは、第１実施形態における主制御基板３３のＣＰＵ３３ａと同様に、番号指定ボタン４５９が押下されると、当該ＣＰＵ４３ａに供給されるクロック信号に基づいて、押下時間を計測し、押下時間が一定時間（例えば、２秒間）に達すると、予め設定された通知時刻設定処理を起動する。尚、この通知時刻設定処理については、第１実施形態における主制御基板３３のＣＰＵ３３ａが実行する通知時刻設定処理と全く同様であるため、ここでは説明を省略する。
【００８６】
そして、ＣＰＵ４３ａは、パチンコ機１の電源投入時の他、時刻設定部４３ｆに設定された通知時刻にＲＴＣ４３ｄから割り込み信号を受信した際に、予め設定された点灯処理を実行する。
【００８７】
尚、この点灯処理では、ＣＰＵ４３ａは、色設定部４３ｅの設定内容を確認し、これに応じた点灯色にて内枠ランプ７を点灯する。つまり、赤色ボタン４３１が押下されている場合には、内枠ランプ７を赤色に点灯し、青色ボタン４３３が押下されている場合には、内枠ランプ７を青色に点灯する。又、緑色ボタン４３５が押下されている場合には、内枠ランプ７を緑色に点灯し、白色ボタン４３７が押下されている場合には、内枠ランプ７を白色に点灯する。
【００８８】
以上のように構成された本実施形態のパチンコ機１では、電源投入後の初期及び通知時刻に、ランプ制御基板４３の色設定部４３ｅに設定された点灯色にて内枠ランプ７を点灯する。
【００８９】
以上から、本実施形態のパチンコ機１では、４種類の点灯色の中から遊技場側が色設定部４３ｅに設定した点灯色を発光することができるため、遊技盤９上における釘同士の間隔や釘の角度などの遊技場側がパチンコ機１に設定した設定情報を内枠ランプ７を利用して遊技者に知らせることができる。
【００９０】
又、本実施形態のパチンコ機１では、遊技場側が設定した内容と点灯色との対応関係を予め遊技者に告知すれば、遊技者は、パチンコ機１の電源投入時の初期や通知時刻に内枠ランプ７に発光される点灯色を確認するだけでパチンコ機１における設定を容易に判別することができ、又、告知しておかなくても、内枠ランプ７に発光される点灯色と、パチンコ機１の上部に設置された呼出ランプや遊技場に設置された情報端末装置に表示される「大当たり」の発生回数などのデータとを合わせて思考すれば、比較的容易にパチンコ機１の設定を判別することができる。
【００９１】
又、本実施形態のパチンコ機１では、色設定部４３ｅと時刻設定部４３ｆとをランプ制御基板４３に設けたため、ランプ制御基板４３上で配線を完了することができ、又、ランプ制御基板４３に時計機能を備えて通知時刻だけの表示にすれば、遊技場側が指定した点灯色の発光においても主制御基板３３と連携することなく、単独で処理を行うことができる。これにより、第１実施形態のパチンコ機１では設けなければならなかった主制御基板３３からランプ制御基板４３へ送信する前述した指定コマンドをなくすことができ、「風営法」で規制されている主制御基板３３のプログラムの容量を増加させることなく、このような機能を設けることができる。
【００９２】
ところで、本実施形態では、点灯色として「赤」、「青」、「緑」、「白」の４色が設定されていたが、これら以外の４色を設定しても良いし、これよりも多くの点灯色を設定しても良いし（つまり、５色以上）、これよりも少なく点灯色を設定しても良い（つまり、２色もしくは３色）。
【００９３】
尚、本実施形態では、内枠ランプ７が本発明の提示手段及び発光装置に相当し、ランプ制御基板４３の色設定部４３ｅが本発明の提示態様選択手段に相当する。
又、本実施形態では、ランプ制御基板４３（より具体的には、ランプ制御基板４３のＣＰＵ４３ａ及びＲＴＣ４３ｄ）が本発明の制御手段に相当し、ランプ制御基板４３の時刻設定部４３ｆが本発明の所定タイミング指定手段に相当する。
【００９４】
又、本実施形態では、内枠ランプ７が点灯する「赤」、「青」、「緑」、「白」の点灯色が、請求項７における「複数の異なる色彩」に相当する。
以上、本発明の実施の形態について説明したが、本発明は、上記実施形態に何ら限定されることはなく、本発明の技術的範囲に属する限り種々の形態をとり得ることはいうまでもない。
【００９５】
例えば、第１〜３実施形態で示した時刻設定部３３ｆ，４３ｆ，４５ｆと同様の時刻設定部と、遊技場側で操作されると共に、スピーカ３９が出力する音声を選択する音声設定部とを音声制御基板４１に設け、時刻設定部に設定された通知時刻に音声設定部にて選択された音声がスピーカから出力されるように音声制御基板４１を構成しても良い。この場合、複数の異なる音声の中から遊技場側が選択した音声を遊技者に出力することができるため、遊技場側がパチンコ機１に設定した設定情報をスピーカ３９を利用して遊技者に出力することが可能となる。又、音声設定部と時刻設定部とを音声制御基板４１に設けたため、音声制御基板４１上で配線を完了することができ、又、音声制御基板４１に時計機能を備えて通知時刻だけの表示にすれば、遊技場側が指定した音声においても他の基板と連携することなく、単独で処理を行うことができる。これにより、第１実施形態のパチンコ機１では設けなければならなかった主制御基板３３から音声制御基板４１へ送信する前述した指定コマンドをなくすことができ、「風営法」で規制されている主制御基板３３のプログラムの容量を増加させることなく、このような機能を設けることができる。ここで、「音声」とは、声や効果音、音楽などを指す。尚、この場合、スピーカ３９が本発明の提示手段及び音声出力装置に相当し、音声設定部が本発明の提示態様選択手段に相当する。又、音声制御基板４１が本発明の制御手段に相当し、時刻設定部が本発明の所定タイミング指定手段に相当する。又、スピーカ３９から出力される音声が請求項９における「複数の異なる音声」に相当する。
【００９６】
又、動作可能に構成された可能物体（所謂、「ギミック」）をパチンコ機１に設けると共に、第１〜３実施形態で示した時刻設定部３３ｆ，４３ｆ，４５ｆと同様の時刻設定部と、遊技場側で操作されると共に、可動物体の動作パターンを選択する動作パターン設定部とをいずれかのサブ制御基板に設け、時刻設定部に設定された通知時刻に動作パターン設定部にて選択された動作パターンにて可動物体が動作するようにサブ制御基板を構成しても良い。この場合、複数の異なる動作パターンの中から遊技場側が選択した動作パターンにて可動物体を動作させることができるため、遊技場側がパチンコ機１に設定した設定情報を可動物体を利用して遊技者に出力することが可能となる。
【００９７】
又、上記第１実施形態では、「大当たり」の抽選確率の設定（「高設定」、「中設定」、「低設定」）と、特別図柄１７ａの組み合わせ（「７１７」、「７２７」、「７３７」）とが対応づけられていたが、これらの対応づけを変更できるように主制御基板３３を構成しても良い。具体的には、例えば、第２実施形態の図柄制御基板４５に設けた画像設定部４５ｅを第１実施形態の主制御基板３３に設け、「大当たり」の抽選確率の設定毎に特別図柄１７ａの組み合わせを画像設定部４５ｅで指定できるように主制御基板３３を構成すれば良い。このように主制御基板３３を構成すれば、例えば、パチンコ機１に実際に施した設定とは異なる設定を示す特別図柄１７ａの組み合わせをディスプレイ１７に表示させることができるため、例えば、実際には遊技者に有利に設定されているのに、有利に設定されていない旨を示す特別図柄１７ａの組み合わせをディスプレイ１７に表示すれば、期待感を抱いていない遊技者に有利な遊技が提供されることになるため、期待感を抱いていなかった分だけ大きな驚きや喜びを遊技者に与えることができる。
【００９８】
又、上記第１，２実施形態では、通知時刻が到来すると、パチンコ機１の設定情報を示す特別図柄１７ａの組み合わせを一時的にディスプレイ１７の一部に表示するものを示したが、ディスプレイ１７の全体に表示しても良く、又、「大当たり」か否かを示す特別図柄１７ａの組み合わせの表示を一端中断して表示しても良い。
【００９９】
又、上記第１〜３実施形態では、ＲＴＣ３３ｄ，４５ｄ，４３ｄは、時刻を計測していたが、パチンコ機１の電源が投入されてからの経過時間を計測しても良い。
又、上記第１，２実施形態では、特別図柄１７ａは数字からなっていたが、その他の文字（例えば、アルファベット）や図形からなっていても良い。
【０１００】
又、第２実施形態では、画像設定部４５ｅによって、特別図柄１７ａの組み合わせを任意に設定できるものを示したが、複数の異なる所定画像を設定できるものであれば良く、例えば、３種類の異なる所定画像を設定できるものであっても良い。
【０１０１】
又、上記実施形態では、本発明の複数の異なる画像として特別図柄１７ａの組み合わせを異ならせていたが、特別図柄１７ａの種類や色彩を複数に異ならせても良いし、特別図柄１７ａの背景画像１７ｂや背景色を複数に異ならせて良い。又、特別図柄１７ａに代えて普通図柄に対応づけても良い。
【０１０２】
又、上記実施形態では、本発明の画像表示装置としてＬＣＤからなるディスプレイ１７を示したが、その他の形態の画像表示装置として、例えば、ＣＲＴ（Cathode-Ray  Tube）やＬＥＤ表示器、外周壁に図柄を形成された１乃至複数のリールからなっていても良い。
【０１０３】
又、上記実施形態では、本発明をパチンコ機１に適用したものを示したが、スロット遊技機に適用しても勿論良い。この場合、抽選結果を表示するディスプレイやリールにスロット遊技機の設定を表示すれば良い。
【０１０４】
又、本実施形態では、パチンコ機１に予め設定されているタイミングの電源投入時と、遊技場側が任意に設定したタイミングである時刻設定部３３ｆ、４３ｆ、４５ｆにて設定した通知時刻とに遊技者に通知されるものを示したが、どちらか一方のタイミングで遊技者に通知されるものでも良い。又、パチンコ機１に予め設定されているタイミングとして電源投入時を示したが、他のタイミングでも良く、例えば、２時間間隔で遊技者に通知されるようなものでも良い。
【図面の簡単な説明】
【０１０５】
【図１】第１実施形態におけるパチンコ機１の外観を示す平面図である。
【図２】第１実施形態におけるパチンコ機１の制御系統の一部を示す構成ブロック図である。
【図３】第１実施形態における主制御基板３３の構成の一部を示す構成ブロック図である。
【図４】第１実施形態における主制御基板３３のＣＰＵ３３ａが実行する起動処理の流れを示すフローチャートである。
【図５】第１実施形態における主制御基板３３のＣＰＵ３３ａが実行する設定表示処理の流れを示すフローチャートである。
【図６】特別図柄１７ａの表示態様を説明する説明図である。
【図７】確率設定部３３ｅの設定内容に対する特別図柄１７ａの組み合わせを示す説明図である。
【図８】第２実施形態における図柄制御基板４５の構成の一部を示す構成ブロック図である。
【図９】第３実施形態におけるランプ制御基板４３の構成の一部を示す構成ブロック図である。
【符号の説明】
【０１０６】
１…パチンコ機、３…外枠、５…内枠、７…内枠ランプ、９…遊技盤、１１…ハンドル、１３…上受け皿、１５…下受け皿、１７…ディスプレイ、１７ａ…特別図柄、１７ｂ…背景画像、１９…特別図柄保留ランプ、２１…始動入賞装置、２１ａ…可動片、２１ｂ…始動口センサ、２１ｃ…ソレノイド、２３…可動入賞装置、２３ａ…開閉板、２３ｂ…特定領域センサ、２３ｃ…カウントセンサ、２３ｄ…ソレノイド、２５…普通図柄表示装置、２７…普通図柄保留ランプ、２９…遊技盤ランプ、３１…始動ゲート、３１ａ…ゲートセンサ、３３…主制御基板、３３ａ，４３ａ，４５ａ…ＣＰＵ、３３ｂ，４３ｂ，４５ｂ…ＲＯＭ、３３ｃ，４３ｃ，４５ｃ…ＲＡＭ、３３ｄ，４３ｄ，４５ｄ…ＲＴＣ、３３ｅ…確率設定部、３３ｆ，４３ｆ，４５ｆ…時刻設定部、３５…払出装置、３７…賞球制御基板、３９…スピーカ、４１…音声制御基板、４３…ランプ制御基板、４３ｅ…色設定部、４５…図柄制御基板、４５ｅ…画像設定部、３３１…高設定ボタン、３３３…中設定ボタン、３３５…低設定ボタン、３３７，４３９，４５９…番号指定ボタン、３３９，４４１，４６１…時刻指定ボタン、３４１，４４３，４５５，４６３…確定ボタン、３４３，４４５，４６５…番号表示部、３４５，４４７，４６７…時刻表示部、４３１…赤色ボタン、４３３…青色ボタン、４３５…緑色ボタン、４３７…白色ボタン、４５１…デフォルトボタン、４５３…変更ボタン。
【図１】
2005185737.tif 000003
【図２】
2005185737.tif 000004
【図３】
2005185737.tif 000005
【図４】
2005185737.tif 000006
【図５】
2005185737.tif 000007
【図６】
2005185737.tif 000008
【図７】
2005185737.tif 000009
【図８】
2005185737.tif 000010
【図９】
2005185737.tif 000011